(57)【要約】【課題】  ぜんまいの動力蓄積量を高精度に表示し得るパワーリザーブ表示機構及びこれを備えた機械式時計の提供【解決手段】  機械式時計２のパワーリザーブ表示機構１は、ぜんまい２１の動力蓄積量に応じて変位可能な可動体４２を備えるぜんまい動力蓄積量検出手段３と、該ぜんまい動力蓄積量検出手段３の可動体４２に結合され該可動体の位置に応じて１０時間単位でのぜんまい動力蓄積量Ｐ１を表示する１０時間単位表示手段５０と、該１０時間単位表示手段５０に結合され可動体４２の位置に応じた１時間単位でのぜんまい動力蓄積量Ｐ２を表示する１時間単位表示手段７０とを有する。１０時間単位表示手段は、ぜんまい動力蓄積量に応じて異なる回転位置を採る第一の回転体５０からなる。１０時間単位表示手段に結合された１時間単位表示手段を構成する第二の回転体は、第一の回転体５０と同軸でも同軸でなくてもよい。【選択図】  図１
2006234433.tif 000002
【特許請求の範囲】
【請求項１】
ぜんまいの動力蓄積量に応じて変位可能な可動体を備えるぜんまい動力蓄積量検出手段と、
該ぜんまい動力蓄積量検出手段の可動体に結合された１０時間単位表示手段であって、該可動体の位置に応じて１０時間単位でのぜんまい動力蓄積量を表示するものと、
該１０時間単位表示手段に結合された１時間単位表示手段であって、前記可動体の位置に応じた１時間単位でのぜんまい動力蓄積量を表示するものと
を有するパワーリザーブ表示機構。
【請求項２】
前記１０時間単位表示手段がぜんまい動力蓄積量に応じて異なる回転位置を採る第一の回転体からなり、前記１時間単位表示手段が前記１０時間単位表示手段に結合され第一の回転体と同軸の第二の回転体からなる請求項１に記載のパワーリザーブ表示機構。
【請求項３】
前記１０時間単位表示手段がぜんまい動力蓄積量に応じて異なる回転位置を採る第一の回転体からなり、前記１時間単位表示手段が１０時間単位表示手段に結合され第一の回転体とは異なる中心軸線のまわりで回転される第二の回転体からなる請求項１に記載のパワーリザーブ表示機構。
【請求項４】
前記ぜんまい動力蓄積量検出手段が遊星車機構を含む請求項１から３までのいずれか一つの項に記載のパワーリザーブ表示機構。
【請求項５】
請求項１から４までのいずれか一つの項に記載のパワーリザーブ表示機構を備えた機械式時計。
【請求項６】
ぜんまいが自動巻機構によって巻上げられるように構成された請求項５に記載の機械式時計。
【発明の詳細な説明】
【技術分野】
【０００１】
【背景技術】
【０００２】
機械式時計のぜんまいでは、最大まで巻いた場合、通常、数１０時間程度の間駆動可能である。このぜんまいの動力蓄積量を表示するパワーリザーブ表示機構は、知られている（例えば、特許文献１や特許文献２）。
【０００３】
しかしながら、従来のパワーリザーブ表示機構では、一種類の表示目盛でパワーリザーブ量（ぜんまい動力蓄積量ないし同蓄積残量）の表示を行うようになっている。数１０時間を例えば１２０度程度の角度範囲で表示する場合、動力蓄積残量が数時間程度以下の精度では正確には読取り難い。
【０００４】
なお、特許文献１に図示されたパワーリザーブ表示機構では、遊星歯車機構が香箱歯車や角穴車に噛合されるように香箱の横に配置されているので、平面的に大きなスペースを占有してしまう。一方、特許文献２に図示されたパワーリザーブ表示機構では、香箱真自体が太陽真になり且つ遊星真が香箱体に直接取付けられているので、平面的なスペースは最小限に抑えられるものの、遊星機構が香箱と一体化されてしまっていることから、香箱が専用化されてしまい、柔軟性に欠ける。
【特許文献１】特許２７５７１４７号公報
【特許文献２】特許３０５４９４３号公報
【発明の開示】
【発明が解決しようとする課題】
【０００５】
本発明は前記諸点に鑑みなされたものであって、その目的とするところは、ぜんまいの動力蓄積量を高精度に表示し得るパワーリザーブ表示機構及びこれを備えた機械式時計を提供することにある。
【課題を解決するための手段】
【０００６】
本発明のパワーリザーブ表示機構は、ぜんまいの動力蓄積量に応じて変位可能な可動体を備えるぜんまい動力蓄積量検出手段と、該ぜんまい動力蓄積量検出手段の可動体に結合された１０時間単位表示手段であって、該可動体の位置に応じて１０時間単位でのぜんまい動力蓄積量を表示するものと、該１０時間単位表示手段に結合された１時間単位表示手段であって、前記可動体の位置に応じた１時間単位でのぜんまい動力蓄積量を表示するものとを有する。
【０００７】
本発明のパワーリザーブ表示機構では、「１０時間単位表示手段に加えて、該１０時間単位表示手段に結合された１時間単位表示手段であってぜんまいの動力蓄積量に応じて変位可能な可動体の位置に応じた１時間単位でのぜんまい動力蓄積量を表示するもの」が設けられているので、ぜんまい動力蓄積量が高精度に表示され得る。従って、ぜんまい動力蓄積量が少なくなった場合に残時間を正確に知り得るだけでなく、巻上げの際にぜんまいが完全に巻上げられたか否かを正確に知り得、巻上げ不足で予想より早くぜんまいの動力蓄積量がなくなるのを避け得る。
【０００８】
本発明のパワーリザーブ表示機構では、典型的には、１０時間単位表示手段がぜんまい動力蓄積量に応じて異なる回転位置を採る第一の回転体からなり、１時間単位表示手段が１０時間単位表示手段に結合され第一の回転体と同軸の第二の回転体からなる。但し、所望ならば、１時間単位表示手段が１０時間単位表示手段に結合され第一の回転体とは異なる中心軸線のまわりで回転される第二の回転体からなっていてもよい。
【０００９】
本発明のパワーリザーブ表示機構では、典型的には、ぜんまい動力蓄積量検出手段が遊星車機構を含む。
【００１０】
本発明の遊星機構は、典型的には、香箱真かなと噛合した遊星伝えかなを含む遊星伝え車と、香箱かなに噛合した第一太陽歯車を含む第一太陽車、該第一太陽車と同軸で遊星伝え歯車に噛合した遊星中間歯車を含む遊星中間車、遊星中間車の偏心位置に遊星真を備え遊星歯車で第一太陽かなに噛合した遊星車、第一太陽車と同心で遊星かなに噛合した第二太陽歯車を含む第二太陽車を含み、第二太陽かなが１０時間単位のパワーリザーブ量を表示する第一巻印車の第一巻印歯車に噛合している。従って、このパワーリザーブ表示機構の遊星機構は、実際上、香箱の拡がりの範囲内で香箱真の周囲に配置され得るから、占有スペースが最小限に抑えられ得る。また、このこのパワーリザーブ表示機構の遊星機構は、香箱に直接的に組込まれるのではなくて、香箱真かな及び香箱かなに噛合されればよいから、香箱の汎用性も高く保たれ得る。
【００１１】
本発明のパワーリザーブ表示機構は、典型的には、機械式時計に用いられる。但し、他のぜんまい駆動の装置に用いられてもよい。
【００１２】
本発明のパワーリザーブ表示機構が機械式時計に組込まれる場合、該機械式時計は、典型的には、自動巻機構によってぜんまいが巻上げられる自動巻式の機械式腕時計からなる。
【００１３】
その場合、ぜんまいがいっぱいに巻上げられない範囲で使用されるときには、例えば、所望の時間（例えば、一日間）の経過後にパワーリザーブ量の変化を一時間以下の精度で知ることにより、その時間（例えば、一日間）の間に自動巻機構によって巻上げられたパワーリザーブ量を知り得るから、その時間（例えば、一日間）における運動量を知り得る。従って、このパワーリザーブ表示機構を備えた自動巻式の機械式腕時計は、それ自体が運動量のおおまかな計測器ないしバロメータとなり得る。
【発明を実施するための最良の形態】
【００１４】
次に、本発明の好ましい一実施の形態を添付図面に示した好ましい一実施例に基づいて説明する。
【実施例】
【００１５】
図１から図３には、本発明による好ましい一実施例のパワーリザーブ表示機構１を備えた機械式の腕時計２が示されている。
【００１６】
腕時計２において、香箱２０にはぜんまい２１が収容され、ぜんまい２１は一端で香箱真２２に他端で香箱車２３に装着されている。地板１１と一番受１２との間で回転可能に支持された香箱真２２には、角穴車２４が取付けられている。機械式腕時計２は、更に、自動巻機構８を備え、腕を振る等の運動により自動巻機構３に加速度運動が加えられると、自動巻機構８の回転錘１７がＡ１，Ａ２方向に往復回動され、該回転錘１７の往復回動がクラッチ車（図示せず）や巻上げ車（図示せず）を介してＢ方向の一方向回転運動として角穴車２４に伝達され、角穴車２４がＢ方向に回転され、ぜんまい２１が巻かれて動力が蓄積される。運針に際しては、角穴車２４の回転が規制された状態で香箱車２３がＢ方向に回転され、その回転が、二番車を介して時刻表示用の時計輪列に伝えられることにより時針１３，分針１４及び秒針１５からなる時刻表示針（図３）が回転されて、時刻が表示される。
【００１７】
機械式時計２のパワーリザーブ表示機構１は、ぜんまい動力蓄積量検出手段３と、１０時間単位表示手段４と、１時間単位表示手段５とを有する。
【００１８】
ぜんまい動力蓄積量検出手段３は、遊星伝え車３０と遊星車機構４０とを含む。遊星伝え車３０は、地板１１と第二地板１６との間で回転自在に支持された軸ないし遊星伝え真３１及び該遊星伝え真３１に取付けられ香箱真かな２５に噛合した遊星伝えかな３２と、遊星伝え真３１にスリップ回転可能に装着された遊星伝え歯車３３とを有する。従って、ぜんまい２１の巻上げの際には、香箱真２２のＢ方向回転に応じて、これに噛合した遊星伝えかな３２及び遊星伝え真３１を介して該遊星伝え真３１に嵌合された遊星伝え歯車３３がＧ１方向に一体的に回転する。
【００１９】
遊星車機構４０は、第一及び第二太陽車４１，４２と、遊星中間車４３と、遊星車４４とを有する。第一太陽車４１は、地板１１と第二地板１６との間で回転自在に支持された軸ないし太陽真４５と、該太陽真４５の一端側に装着され香箱かな２６に噛合した第一太陽歯車４１ａと、第一太陽かな４１ｂとを備える。第二太陽車４２は、第一太陽車４１と同軸で、太陽真４５の他端側に回転自在に嵌合された第二太陽歯車４２ａ及び第二太陽かな４２ｂを一体的に備える。遊星中間車４３は、第一及び第二太陽車４１，４２と同軸で、該第一及び第二太陽車４１，４２の間において太陽真４５に回転自在に嵌合され、遊星伝え歯車３３に噛合された遊星中間歯車４３ａを外周に備えると共に、偏心位置に周方向にほぼ等間隔に孔４３ｂ，４３ｃ，４３ｃ（図１及び図２）を備える。遊星車４４は、遊星中間車４３の軸受孔４３ｂに回転自在に嵌合された遊星真４４ｃと、該遊星真４４ｃの一端側に装着され第一太陽かな４１ｂに噛合した遊星歯車４４ａと、遊星真４４ｃの他端側に装着され第二太陽歯車４２ａに噛合した遊星かな４４ｂとを有する。なお、遊星中間車４３の孔４３ｃ，４３ｃには、スペーサ部材４３ｄ，４３ｄが装着されている。
【００２０】
このパワーリザーブ表示機構１の遊星機構４０は、実際上、香箱２０の拡がりの範囲内で香箱真２２の周囲に配置され得るから、占有スペースが最小限に抑えられ得る。また、このこのパワーリザーブ表示機構１の遊星機構４０は、香箱２０に直接的に組込まれるのではなくて、香箱真かな２５及び香箱かな２６に噛合されればよいから、香箱２０の汎用性も高く保たれ得る。
【００２１】
ぜんまい２１の巻上げの際には、香箱真２２のＢ方向回転に伴う遊星伝え車３０のＧ１方向回転に応じて、遊星伝え歯車３３に噛合した遊星中間車４３が太陽真４５のまわりでＥ１方向に回転される。この場合、調速・脱進機構（図示せず）で回転速度が規制された香箱車２３は巻上げの短い間には実際上回転しないとみなし得るので、香箱かな２６に第一太陽歯車４１ａで噛合した第一太陽車４１が実際上固定車となり、第一太陽かな４１ｂに噛合した遊星歯車４４ａが遊星中間車４３の回転に伴ってＥ１方向に公転されつつＦ１方向に自転する。従って、遊星車４４の遊星かな４４ｂも同様にＥ１，Ｆ１方向に公転・自転し、該遊星かな４４ｂの公転・自転に伴って第一太陽かな４１ｂよりも小径の第二太陽歯車４２ａでこれに噛合した第二太陽車４２がＥ１方向に回転する。従って、第二太陽車４２のＥ１方向の回転量を検出することにより、ぜんまい２１の巻上げにともなうぜんまい動力蓄積量すなわちパワーリザーブ量Ｐないしその変化がわかる。
【００２２】
一方、ぜんまい２１がほどけて運針が行われる際には、こはぜ（図示せず）により角穴車２４及びこれに固定された香箱真２２の回転が禁止されているので、遊星伝えかな３２の回転が禁止されるから、遊星中間車４３が実際上固定車になる。従って、香箱かな２６のＢ方向の回転に応じて第一太陽歯車４１ａでこれに噛合した第一太陽車４１がＥ２方向に回転されると、遊星歯車４４ａで第一太陽かな４１ｂに噛合した遊星車４４がＦ１方向に回転され、第二太陽歯車４２ａで遊星かな４４ｂに噛合した第二太陽車４２がＥ２方向に回転する。従って、第二太陽車４２のＥ２方向の回転量を検出することにより、ぜんまい２１のほどけに伴うぜんまい動力蓄積量すなわちパワーリザーブ量Ｐないしその変化がわかる。
【００２３】
なお、このぜんまい動力蓄積量検出手段３において、スペーサ部材４３ｄ，４３ｄは、夫々、遊星歯車４４ａとほぼ同様な形状で遊星車４４と同程度の質量を有し、周方向に等間隔に配置されて、遊星中間車４３と第一太陽歯車４１ａとの間の軸線方向スペースをほぼうめる。従って、この遊星機構４０では、遊星中間車４３がむらなくスムーズに回転し易く、全体として安定に動作し易い。
【００２４】
１０時間単位表示手段４は第一巻印車５０を含む。第一巻印車５０は、地板１１と第二地板１６とで回転自在に支持された第一巻印真５１と、第二太陽車４２の第二太陽かな４２ｂに噛合し該第一巻印真５１に一体的に嵌着された大径の第一巻印歯車５２とを有する。従って、第二太陽車４２のＥ１，Ｅ２方向の回転に応じて、第一巻印車５０がＣ１，Ｃ２方向に回転される。第一巻印歯車５２は、その円板部分５３の外周近傍に、円弧状の開口部５４（図１及び図２）を備える。この円弧状開口部５４には、地板１１に装着された第一巻印車度決めピン５５が遊嵌されて、第一巻印車５０の回転中心軸線ＣのまわりでのＣ１，Ｃ２方向の回転範囲を規定する。円板部分５３がＣ１方向に回動して円弧状開口５４のＣ２方向端部５４ａに度決めピン５５が当接するときがぜんまい動力蓄積量が最大の状態である。一方、円弧状開口５４のＣ１方向端部５４ｂは、該端部５４ｂに度決めピン５５が当接するときがぜんまい動力蓄積量が０の状態になるように形成されていても、その代わりに、ぜんまい動力蓄積量が０になったとき、度決めピン５５が端部５４ｂよりも少しＣ２方向にズレたところに位置するように若干の余裕をもって形成されていてもよい。
【００２５】
パワーリザーブ表示機構１は、更に、１時間単位表示手段５を構成する巻印中間車６０及び第二巻印車７０を有する。
【００２６】
巻印中間車６０は、地板１１と第二地板１６とにより回転自在に支持された巻印中間真６１と、該真６１と一体的な巻印中間歯車６２及び巻印中間かな６３とを有する。巻印中間かな６３は第一巻印歯車５２に噛合している。
【００２７】
第二巻印車７０は、中空の第二巻印真ないし筒７１と小径の第二巻印歯車ないし第二巻印かな７２とを有する。第二巻印筒７１は、第一巻印真５１に回転自在に嵌合され、第二巻印かな７２は巻印中間歯車６２に噛合している。
【００２８】
従って、第二太陽車４２のＥ１，Ｅ２方向の回転に伴う第一巻印車５０のＣ１，Ｃ２方向回転に応じて、巻印中間車６０を介して、第二巻印車７０もＣ１，Ｃ２方向に回転される。
【００２９】
第一巻印車５０の軸５１の先端部５６は、文字板１８を貫通して該文字板１８の前面に突出し、該突出端部５６には、１０時間単位でのパワーリザーブ量すなわちぜんまい動力蓄積量Ｐ１を表す指針５７が取付けられ、文字板１８の前面のうち指針５７の回動走査領域には、１０時間単位でのパワーリザーブ量すなわちぜんまい動力蓄積量Ｐ１を表す目盛５８が付されている。目盛の付された扇形走査領域５８は、円弧状開口部５４が度決めピン５５に対する相対回動を許容する範囲に対応し得る。図３に示したように、指針５７が５０時間あたり約１００度回転する場合、この第一巻印歯車５３の回転量（角）は、例えば、１０時間のパワーリザーブ量当たり２０度程度である。
【００３０】
第二巻印車７０の筒７１の先端部７３も、同様に、文字板１８を貫通して該文字板１８の前面に突出し、該突出端部７３には、１時間単位でのパワーリザーブすなわちぜんまい動力蓄積量Ｐ２を表す指針７４が取付けられ、文字板１８の前面のうち指針７４の回動走査領域には、１時間単位でのパワーリザーブ量すなわちぜんまい動力蓄積量Ｐ２を表す目盛７５が付されている。図３に示したように指針７５が１０時間あたり一回転される場合、第二巻印車７０は、１時間のパワーリザーブ量当たり３６度回転される。なお、この例では、パワーリザーブ量Ｐ２が１０時間のとき、指針７４が一回転するように、第一巻印歯車５２と巻印中間かな６１との歯車比及び巻印中間歯車６３と第二巻印かな７２との歯車比が設定されている。
【００３１】
以上の如く構成されたパワーリザーブ表示機構１を備えた機械式腕時計２では、組立の際、角穴車２４の角穴２４ａを利用して角穴車２４をＢ方向に回すことによりぜんまい２１をいっぱいまで巻上げた状態で、１０時間単位パワーリザーブ量表示指針５７及び１時間単位パワーリザーブ量表示指針７４を、夫々、第一及び第二巻印車５０，７０の軸ないし筒５１，７１の先端部５６，７３に装着する。
【００３２】
より詳しくは、ぜんまい２１の当初の巻上げの際、角穴２４ａを介して角穴車２４をＢ方向に回転させることにより、角穴車２４と一体的な香箱真２２及び香箱真かな２５がＢ方向に回転され、遊星伝え車３０を介して遊星中間車４３がＥ１方向に回転される。この場合、第一太陽車４１が実質的に固定されているので、遊星中間車４６のＥ１方向の回転に伴い第一太陽かな４１ｂに噛合した遊星歯車４４ａがＥ１方向に公転しつつＦ１方向に自転し、遊星車４４のＥ１，Ｆ１方向の公転・自転に伴い遊星かな４４ｂに噛合した第二太陽歯車４２ａがＥ１方向に回転する。第二太陽車４２の第二太陽かな４２ｂのＥ１方向回転に伴いこれに噛合した第一巻印歯車５３がＣ１方向に回転する。第一巻印車５０のＣ１方向回転に応じて巻印中間車６０がＤ１方向に回転され、該巻印中間車６０に噛合した第二巻印車７０がＣ１方向に増速回転される。
【００３３】
ぜんまい２１により実現される所定の最大パワーリザーブ量を示すところまで第一巻印車５０がＣ１方向に回転されると、開口５４の円弧の端部５４ａが度決めピン５５に当たって、第一巻印車５０のＣ１方向回転が禁止される。一方、第二巻印車７０は、第一巻印車５０のＣ１方向回動に応じてＣ１方向に数回回転された後、第一巻印車５０の停止に伴って停止する。
【００３４】
なお、典型的には、ぜんまい２１が最大限に巻かれた際に角穴車２４、香箱真２２及びぜんまい２１が香箱車２３に対してＢ方向にスリップ回転するように香箱２０が構成されている。従って、香箱真２２の更なるＢ方向回転に伴う香箱真かな２５のＢ方向回転に伴い遊星伝え車３０の遊星伝えかな３２及び遊星伝え真３１がＧ１方向に回転されるけれども、遊星伝え歯車３３の回転が遊星機構４０及び第一巻印車５０を介して度決めピン５５により禁止されるので、遊星伝え真３１が遊星伝え歯車３３に対してスリップ回転する。
【００３５】
この状態が最大巻上げ状態で、ぜんまいがこのようにして最大限巻かれた状態しておいて、指針５７，７４を夫々の目盛においてぜんまい２１の最大パワーリザーブ量Ｐを表すように、夫々の軸５１，７１の先端部５６，７３に装着する。
【００３６】
一方、ぜんまい２１がほどけつつ調速・脱進機構により規定された速度で輪列を回して時刻表示針１３，１４，１５による時刻表示を行わせる場合、香箱車２３のＢ方向回転に応じて香箱かな２６に噛合した第一太陽車４１がＥ２方向に回転し、該第一太陽車４４のＥ２方向回転に応じて、遊星車４４がＦ１方向に自転する。このとき、遊星伝え車３０を介して香箱真２２に結合された遊星中間車４３は実質的に固定車になっている。従って、遊星車４４のＦ１方向自転に伴う第二太陽車４２のＥ２方向回転に応じて、第一巻印車５０がＣ２方向に回転し、指針５７がＣ２方向に回動されて、各時点での１０位のパワーリザーブ量Ｐ１が目盛５８に対する指針位置として示される。また、第一巻印車５０のＣ２方向回動に応じて巻印中間車６０のＤ２方向回転を介して第二巻印車７０がＣ２方向に回転され、指針７４がＣ２方向に回転されて、各時点での１位のパワーリザーブ量Ｐ２が目盛７５に対する指針位置として示される。
【００３７】
以上において、ぜんまい２１がほどけるに任せる場合、当然ながら、経過時間がそのままパワーリザーブ量Ｐの減少量ΔＰαに対応する。
【００３８】
一方、機械式腕時計２を、ユーザが腕（手首）に装着して、日常生活活動をする場合、腕の各種の動きに応じて回転錘１７が加速度運動にさらされるので、自動巻機構８の回転錘１７がＡ１，Ａ２に往復回動し、該回転錘１７の運動が図示しない伝達機構を介して角穴車２４に伝えられて、角穴車２４がＢ方向に回転され、ぜんまい２１の巻上げが行われる。この巻上げに伴うパワーリザーブ量Ｐの増加量ΔＰβは、ユーザの運動ないし活動の量に対応する。
【００３９】
従って、例えば、一日（２４時間）経過後では、ΔＰα＝２４であるから、一日経過後におけるにパワーリザーブ量の変化ΔＰ＝ΔＰβ−ΔＰαを知ることにより、ユーザのその日の活動量ΔＰβ＝ΔＰ＋ΔＰαを知ることができる。すなわち、自動巻式の機械式腕時計２では、１０時間単位及び１時間単位のパワーリザーブ量Ｐ１，Ｐ２を正確に表示し得るから、この表示によってパワーリザーブ量Ｐを正確に知ることにより、ユーザは、自分の運動の量ないし活動の量を知ることができる。すなわち、自動巻式の機械式腕時計２では、運動ないし活動の量を計測する計測器ないしバロメータとしても働き得る。ここで、運動の量ないし活動の量は、自動巻機構８によるぜんまい２１の巻上げに影響を与え得る程度の運動の量ないし活動の量を表す。それ故、自動巻機構８の感度を調整可能にするか該感度が種々異なるものを準備しておくことにより、種類ないし強度の異なる運動又は活動の量を計測する計測器ないしバロメータともなり得る。
【００４０】
なお、この機械式時計２のパワーリザーブ表示機構１はパワーリザーブ量を高精度に表示し得るから、所望ならば、例えば、就寝前において、起床時までぜんまい２１の動力が残るか否かを正確に識別し得るから、就寝前にぜんまい２１を巻いておくべきか起床後にぜんまい２１をまけばよいかも正確に決定し得る。これにより、ぜんまい２１の動力がなくなりそうなときは事前に、ぜんまい２１の巻上げを行うことも可能になる。
【００４１】
なお、所望ならば、このパワーリザーブ表示機構１は、リュウズ１９により巻真を介してぜんまい２１をまく非自動巻式の機械式時計２に組込まれてもよい。
【００４２】
以上においては、第二巻印車７０が第一巻印車５０と同軸に配置された例について説明したけれども、第二巻印車７０は、図２において想像線で示したように、中心軸線Ｃとは異なる位置Ｈを中心に回転されるように配置されてもよい。その場合においても、第二巻印車７０は、巻印中間車６０を介して回転され、目盛が中心軸線Ｈを中心にした円になる点を除き図３の目盛７５と同様であり得る。
【図面の簡単な説明】
【００４３】
【図１】本発明による好ましい一実施例のパワーリザーブ表示機構を備えた機械式時計の一部を示した断面説明図。
【図２】図１のパワーリザーブ機構の平面説明図。
【図３】図１の機械式時計の平面説明図。
【符号の説明】
【００４４】
１  パワーリザーブ表示機構
２  機械式時計
３  パワーリザーブ量検出手段
４  １０時間単位表示手段
５  １時間単位表示手段
８  自動巻機構
１１  地板
１２  一番受
１３，１４，１５  時刻表示針
１６  第二地板
１７  回転錘
１８  文字板
１９  リュウズ
２０  香箱
２１  ぜんまい
２２  香箱真
２３  香箱車
２４  角穴車
２５  香箱真かな
２６  香箱かな
３０  遊星伝え車
３１  遊星伝え真
３２  遊星伝え歯車
３３  遊星伝えかな
４０  遊星車機構
４１  第一太陽車
４１ａ  第一太陽歯車
４１ｂ  第一太陽かな
４２  第二太陽車
４２ａ  第二太陽歯車
４２ｂ  第二太陽かな
４３  遊星中間車
４３ａ  遊星中間歯車
４３ｂ，４３ｃ  孔
４３ｄ  スペーサ部材
４４  遊星車
４４ａ  遊星歯車
４４ｂ  遊星かな
４４ｃ  遊星真
４５  太陽真
５０  第一巻印車
５１  第一巻印真
５２  第一巻印歯車
５４  円弧状開口部
５５  度決めピン
５７  １０時間単位指針
６０  巻印中間車
６１  巻印中間真
６２  巻印中間歯車
６３  巻印中間かな
７０  第二巻印車
７１  第二巻印胴
７２  第二巻印かな
７４  １時間単位指針
Ａ，Ｂ，Ｃ１，Ｃ２，Ｄ１，Ｄ２，Ｅ１，Ｅ２，Ｆ１，Ｇ１  回転方向
【図１】
2006234433.tif 000003
【図２】
2006234433.tif 000004
【図３】
2006234433.tif 000005